(57)【要約】【課題】  室内への水の浸入を確実に防止できる戸を提供する。【解決手段】  縦芯材１０と、室内外の面材１１ａ，１１ｂと、室内外のハンドル台座３１，４１とを備え、縦芯材１０は、室内側取付部２０ａと室外側取付部２０ｂとを有し、室内側ハンドル台座３１と室外側ハンドル台座４１とは別体であり、室内側ハンドル台座３１が室内側面材１１ａを挟着して室内側取付部２０ａにねじ止めされ、室外側ハンドル台座４１が室外側面材１１ｂを挟着して室外側取付部２０ｂにねじ止めされる。【選択図】      図１
2020200677.tif 000002
【特許請求の範囲】
【請求項１】
縦芯材と、室内外の面材と、室内外のハンドル台座とを備え、縦芯材は、室内側取付部と室外側取付部とを有し、室内側ハンドル台座と室外側ハンドル台座とは別体であり、室内側ハンドル台座が室内側面材を挟着して室内側取付部にねじ止めされ、室外側ハンドル台座が室外側面材を挟着して室外側取付部にねじ止めされていることを特徴とする戸。
【請求項２】
縦芯材と、室内外の面材と、室内外のハンドル台座と、シリンダー錠とを備え、室内外の面材は、縦芯材にそれぞれ固定されており、室内側ハンドル台座と室外側ハンドル台座とは別体であり、室内外の面材をそれぞれ狭着して縦芯材に固定してあり、シリンダー錠は、室外側に錠孔台座、室内側にサムターン台座を一体に有するものであり、室外側ハンドル台座よりも上方位置において、錠孔台座とサムターン台座とで、室内外の面材を狭着して固定されていることを特徴とする戸。
【発明の詳細な説明】
【技術分野】
【０００１】
本発明は、戸に関する。
【背景技術】
【０００２】
従来、玄関等に設けられ、ハンドルの操作により開閉される戸は、室内側及び室外側のハンドル台座が取付柱を介して室内外を連通するように取り付けられており、風水害等によって室外側ハンドル台座まで水位が高まった際、室外から取付柱を通じて、室内に水が浸入してしまうという問題があった。
特許文献１には、室内側ハンドル内部に設けられたシール材により、室外から室内への水の浸入を防ぐ発明が記されているが、室内側ハンドル内部での被水によるシール材の経年劣化によって、止水が不確実になるおそれがあった。
【先行技術文献】
【特許文献】
【０００３】
【特許文献１】特開２０１７−１３３３２１号公報
【発明の概要】
【発明が解決しようとする課題】
【０００４】
本発明は上記実情に鑑み、室内への水の浸入を確実に防止できる戸の提供を目的とする。
【課題を解決するための手段】
【０００５】
本発明のうち請求項１の戸は、縦芯材と、室内外の面材と、室内外のハンドル台座とを備え、縦芯材は、室内側取付部と室外側取付部とを有し、室内側ハンドル台座と室外側ハンドル台座とは別体であり、室内側ハンドル台座が室内側面材を挟着して室内側取付部にねじ止めされ、室外側ハンドル台座が室外側面材を挟着して室外側取付部にねじ止めされていることを特徴とする。
【０００６】
本発明のうち請求項２の戸は、縦芯材と、室内外の面材と、室内外のハンドル台座と、シリンダー錠とを備え、室内外の面材は、縦芯材にそれぞれ固定されており、室内側ハンドル台座と室外側ハンドル台座とは別体であり、室内外の面材をそれぞれ狭着して縦芯材に固定してあり、シリンダー錠は、室外側に錠孔台座、室内側にサムターン台座を一体に有するものであり、室外側ハンドル台座よりも上方位置において、錠孔台座とサムターン台座とで、室内外の面材を狭着して固定されていることを特徴とする。
【発明の効果】
【０００７】
本発明のうち請求項１の発明によれば、戸は、室内外側ハンドル台座がそれぞれ室内外側面材を挟着して縦芯材の室内外側取付部にねじ止めされて取り付けられており、室内側ハンドル台座と室外側ハンドル台座とは別体であるので、室内外側ハンドル台座を通じた水の浸入を防止できる。そのため、風水害等によって室外側ハンドル台座まで水位が高まったとしても、室内への水の浸入を防止できるので、止水性に優れる。
【０００８】
本発明のうち請求項２の発明によれば、戸は、室内外側ハンドル台座がそれぞれ室内外側面材を挟着して縦芯材に固定されて取り付けられており、室内側ハンドル台座と室外側ハンドル台座とは別体であるので、室内外側ハンドル台座を通じた水の浸入を防止できる。また、室外側に錠孔台座を、室内側にサムターン台座を一体に有するシリンダー錠が、室外側ハンドル台座よりも上方位置において、錠孔台座とサムターン台座とで室内外の面材を狭着して固定されているので、風水害等によって室外側ハンドル台座まで水位が高まったとしても、シリンダー錠を通じた水の浸入を防止できるので、止水性に優れる。
【図面の簡単な説明】
【０００９】
【図１】第一実施形態の戸における、図２のＡ−Ａ線断面図である。
【図２】第一及び第二実施形態の戸を室外側から見た図である。
【図３】第一及び第二実施形態の戸を室内側から見た図である。
【図４】第一実施形態のハンドル取付部の三面図であり、（ａ）は戸先側から見た側面図、（ｂ）は室外側から見た正面図、（ｃ）は平面図である。
【図５】第二実施形態の戸における、図２のＡ−Ａ線断面図である。
【発明を実施するための形態】
【００１０】
以下、本発明の実施の形態を図面に基づいて説明する。第一実施形態の戸については図１及び図４に、第二実施形態の戸について図５にそれぞれ示されている。第一実施形態及び第二実施形態の戸を、室外側から見た図は図２、室内側から見た図は図３にそれぞれ示されている。以下において室内側、室外側、戸先側、及び吊元側とは図１に示される通りとする。
【００１１】
本発明の戸の使用場所や用途は特に限定されるものではないが、第一実施形態に係る戸は玄関用のドアであり、図２及び図３に示されるように、建物の開口部に設けられた枠体と、枠体の内周を閉鎖する戸本体１とから構成される。枠体は、枠で四周に組まれている。戸本体１は、樹脂材料からなる樹脂芯材１１で四周に組まれている。戸本体１の四周を組んだ樹脂芯材１１には、樹脂芯材１１の室内外側それぞれに面材１１ａ，１１ｂが取り付けられている。戸本体１には、図１に示されるように、戸本体１の戸先側の室内外側面それぞれに、室内外のハンドル３，４が設けられている。室内外のハンドル３，４は、吊元側から手が掛けられるように、それぞれ略平板状をなしている。戸の開閉は、室内外のハンドル３，４の吊元側に手が掛けられ押し引きされる操作によって行われる。
【００１２】
戸本体１は、図１乃至図３に示される通り、縦芯材１０と、樹脂芯材１１と、室内外の面材１１ａ，１１ｂと、室内側ハンドル台座３１，３１と、室外側ハンドル台座４１，４１と、シリンダー錠５，５を備える。
縦芯材１０は、金属材料からなり、内周側が開口した溝状に形成されている。縦芯材１０の外周側面には、戸先側に縦に設けられた樹脂芯材１１がねじ止めにより固定されている。縦芯材１０の内周側面には、後述するハンドル取付部２，２が一体的に固定されている。縦芯材１０は、縦芯材１０にハンドル取付部２，２が固定されるためのネジ孔１００，１００を４つ有する。ネジ孔１００は、縦芯材１０の内周側面の上下にそれぞれ２つずつ設けられている。
ハンドル取付部２は、室内側ハンドル台座３１と室外側ハンドル台座４１とを縦芯材１０に固定するものであり、図４に示される通り、基部２０と、室内側取付部２０ａと、室外側取付部２０ｂと、上板部２１と、下板部２２と、芯材取付部２３，２３とを有する。
基部２０は、縦方向に延びた略平板状をなしている。基部２０の上端部からは上板部２１が，下端部からは下板部２２が、それぞれ戸先側に向かって水平に延びて形成されている。上板部２１及び下板部２２は、それぞれ略矩形の平板状をなしている。上板部２１には、戸先側端部から垂直に立ち上がった芯材取付部２３が、下板部２２には、戸先側端部から垂下した芯材取付部２３が、それぞれ形成されている。芯材取付部２３，２３は、それぞれ略矩形の平板状をなしており、各々、縦芯材１０のネジ孔１００，１００と合致する位置に、ネジ孔２３０，２３０が設けられている。縦芯材１０のネジ孔１００，１００と、ハンドル取付部２のネジ孔２３０，２３０とに挿通されるネジにより、ハンドル取付部２は縦芯材１０にねじ止めされる。
基部２０の室内側端部からは室内側取付部２０ａが、室外側端部からは室外側取付部２０ｂが、それぞれ戸本体１の室内外の面材１１ａ，１１ｂと平行に吊元側方向へ延びて形成されている。室内側取付部２０ａ及び室外側取付部２０ｂは、それぞれ矩形の平板状をなしている。室内側取付部２０ａの上部及び下部には、室内側ハンドル台座３１が固定されるためのネジ孔２００ａ，２００ａがそれぞれ設けられている。図１に示される通り、室内側取付部２０ａの室内側面には、ゴムシートからなる、シール材３１ａが貼付されている。シール材３１ａは、室内側から見て、室内側取付部２０ａと略同一形状をなし、孔が設けられている。同様に、室外側取付部２０ｂの上部及び下部には、室外側ハンドル台座４１が固定されるためのネジ孔２００ｂ，２００ｂがそれぞれ設けられている。図１に示される通り、室外側取付部２０ｂの室外側面には、ゴムシートからなる、シール材４１ｂが貼付されている。シール材４１ｂは、室外側から見て、室外側取付部２０ｂと略同一形状をなし、孔が設けられている。
【００１３】
室内側ハンドル台座３１，３１及び室外側ハンドル台座４１，４１は、内部が中空の略箱状をなしている。
室内側ハンドル台座３１，３１は、図３に示される通り、室内側ハンドル３の戸本体１側の面の上部及び下部にそれぞれ設けられており、図１に示される通り、室内側ハンドル３と一体となっている。室内側ハンドル台座３１は、縦芯材１０が一体的に有する、ハンドル取付部２の室内側取付部２０ａの、ネジ孔２００ａ，２００ａにねじ止めされて、戸本体１に固定されている。すなわち、室内側ハンドル台座３１は、室内側面材１１ａ及びシール材３１ａを狭着して、縦芯材１０に間接的に固定されている。
同様に、室外側ハンドル台座４１，４１は、図２に示される通り、室内側ハンドル４の戸本体１側の面の上部及び下部にそれぞれ設けられており、図１に示される通り、室内側ハンドル４と一体となっている。室外側ハンドル台座４１は、縦芯材１０が一体的に有する、ハンドル取付部２の室外側取付部２０ｂの、ネジ孔２００ｂ，２００ｂにねじ止めされて、戸本体１に固定されている。すなわち、室外側ハンドル台座４１は、室外側面材１１ｂ及びシール材４１ｂを狭着して、縦芯材１０に間接的に固定されている。
室外側ハンドル台座４１，４１の上方には、図２に示される通り、シリンダー錠５，５がそれぞれ固定されている。
シリンダー錠５は、室内側にサムターン台座５１ａを、室外側に錠孔台座５１ｂを一体に有する。シリンダー錠５は、サムターン台座５１ａと、錠孔台座５１ｂとで、室内外の面材１１ａ，１１ｂを狭着して固定される。シリンダー錠５は、サムターン台座５１ａもしくは錠孔台座５１ｂの操作によって施解錠され、戸の開閉が制限される。
【００１４】
このように構成した第一実施形態の戸によれば、室内外側ハンドル台座３１，４１は、それぞれ室内外側面材１１ａ，１１ｂを挟着して、縦芯材１０が一体的に有するハンドル取付部２の、室内外側取付部２０ａ，２０ｂにねじ止めされて取り付けられており、室内側ハンドル台座３１と室外側ハンドル台座４１とは別体となる。これにより、室内外側ハンドル台座３１，４１が連通されないので、室内外側ハンドル台座３１，４１を通じた水の浸入を防止できる。そのため、風水害等によって室外側ハンドル台座まで水位が高まったとしても、室内への水の浸入を防止できるので、止水性に優れる。
【００１５】
また、縦芯材１０は、室内外側取付部２０ａ，２０ｂを一体的に有しており、金属材料からなるため、縦芯材１０に室内外側ハンドル台座３１，４１を強固にねじ止めできる。すなわち、戸本体１に室内外側ハンドル台座３１，４１を強固に固定できる。
【００１６】
さらに、シリンダー錠５，５は、室内側にサムターン台座５１ａ，５１ａを、室外側に錠孔台座５１ｂ，５１ｂを一体に有しており、室外側ハンドル台座４１，４１よりも上方位置において、サムターン台座５１ａと、錠孔台座５１ｂとで、室内外の面材１１ａ，１１ｂを狭着して固定されているので、風水害等によって室外側ハンドル台座４１，４１まで水位が高まったとしても、シリンダー錠５，５を通じた水の浸入が無いため、室内への水の浸入を防止でき、止水性に優れる。
【００１７】
次に、図５に基づき、第二実施形態について説明する。第二実施形態に係る戸は、基本構成においては第一実施形態と同一であるが、以下の点において相違する。
第二実施形態の戸本体１は、戸先側に縦に設けられた縦芯材１０と、吊元側に縦に設けられた樹脂芯材１１と、上下の樹脂芯材１１とで四周に組まれている。縦芯材１０は金属材料からなり、図５に示される通り、内周側が開口した平面視略コの字状に形成されている。縦芯材１０は、室内側取付部１０ａと、室外側取付部１０ｂと、基部１０ｃとを一体に有する。基部１０ｃは、縦芯材１０の戸先側面であり、戸の上下方向に亘って延びた略平板状に形成されている。基部１０ｃの室内側端部から、室内側取付部１０ａが吊元側に延伸して形成されている。室内側取付部１０ａの吊元側の室内側面には、ゴムシートからなる、シール材３１ａが貼付されている。室内側取付部１０ａは、吊元側が戸先側よりもやや室外側に位置するよう屈曲した形状をなし、室内側取付部１０ａの吊元側と、室内側面材１１ａとのあいだには、シール材３１ａが貼付されるための空間が設けられている。室内側取付部１０ａの室内側面は、室内側面材１１ａと平行である。室内側取付部１０ａの上部及び下部には、室内側ハンドル台座３１が固定されるためのネジ孔１００ａ，１００ａがそれぞれ設けられている。室内側ハンドル台座３１，３１は、各々、室内側取付部１０ａの、ネジ孔１００ａ，１００ａにねじ止めされて、戸本体１に固定されている。すなわち、室内側ハンドル台座３１は、室内側面材１１ａ及びシール材３１ａを狭着して、縦芯材１０に直接固定されている。すなわち、室内側ハンドル台座３１は、室内側面材１１ａを狭着して、縦芯材１０に直接固定される。基部１０ｃの室外側端部から、室外側取付部１０ｂが吊元側に延伸して形成されている。室外側取付部１０ｂの吊元側の室外側面には、ゴムシートからなる、シール材４１ｂが貼付されている。室外側取付部１０ｂは、吊元側が戸先側よりもやや室内側に位置するよう屈曲した形状をなし、室外側取付部１０ｂの吊元側と、室外側面材１１ｂとのあいだには、シール材４１ｂが貼付されるための空間が設けられている。室外側取付部１０ｂの室外側面は、室外側面材１１ｂと平行である。室外側取付部１０ｂの上部及び下部には、室外側ハンドル台座４１が固定されるためのネジ孔１００ｂ，１００ｂがそれぞれ設けられている。室外側ハンドル台座４１，４１は、各々、室外側取付部１０ｂの、ネジ孔１００ｂ，１００ｂにねじ止めされて、戸本体１に固定されている。すなわち、室外側ハンドル台座４１は、室外側面材１１ｂ及びシール材４１ｂを狭着して、縦芯材１０に直接固定されている。すなわち、室外側ハンドル台座４１は、室外側面材１１ｂを狭着して、縦芯材１０に直接固定される。
【００１８】
このように構成した第二実施形態の戸によれば、室内外側ハンドル台座３１，４１は、それぞれ室内外側面材１１ａ，１１ｂを挟着して、縦芯材１０の室内外側取付部１０ａ，１０ｂにねじ止めされて取り付けられており、室内側ハンドル台座３１と室外側ハンドル台座４１とは別体となる。これにより、室内外側ハンドル台座３１，４１が連通されないので、室内外側ハンドル台座３１，４１を通じた水の浸入を防止できる。そのため、風水害等によって室外側ハンドル台座まで水位が高まったとしても、室内への水の浸入を防止できるので、止水性に優れる。
【００１９】
また、戸の、室内外のハンドル台座３１，４１は室内外側面材１１ａ，１１ｂを挟着して縦芯材１０に直接的に固定されて取り付けられており、室内側ハンドル台座３１と室外側ハンドル台座４１とは別体であるので、室内外側ハンドル台座３１，４１を通じた水の浸入を防止できる。
【００２０】
さらに、シリンダー錠５，５は、室内側にサムターン台座５１ａ，５１ａを、室外側に錠孔台座５１ｂ，５１ｂを一体に有しており、室外側ハンドル台座４１，４１よりも上方位置において、サムターン台座部５１ａと、錠孔台座５１ｂとで、室内外の面材１１ａ，１１ｂを狭着して固定されているので、風水害等によって室外側ハンドル台座４１，４１まで水位が高まったとしても、シリンダー錠５，５を通じた水の浸入が無いため、室内への水の浸入を防止でき、止水性に優れる。
【００２１】
加えて、縦芯材１０は、室内外側取付部１０ａ，１０ｂを一体に有しており、金属材料からなるため、縦芯材１０に室内外側ハンドル台座３１，４１を強固にねじ止めできる。すなわち、戸本体１に室内外側ハンドル台座３１，４１を強固に固定できる。
【００２２】
本発明は、上記の実施形態に限定されず、特許請求の範囲内であれば適宜変更することができる。例えば、戸は引戸であってもよい。また、上下の室内外ハンドル台座のうち、少なくとも下方の室内外ハンドル台座のみがハンドル取付部に固定されて、室内への水の浸入が防止されていればよい。このように構成することにより、下方の室内外ハンドル台座を通じた水の浸入が無く、シリンダー錠は下方の室内外ハンドル台座よりも上方位置に固定されているので、風水害等によって下方の室内外ハンドル台座まで水位が高まったとしても、室内へ水は浸入しない。
【符号の説明】
【００２３】
１０                縦芯材
１１ａ              室内側面材
１１ｂ              室外側面材
２０ａ、１０ａ      室内側取付部
２０ｂ、１０ｂ      室外側取付部
３１                室内側ハンドル台座
４１                室外側ハンドル台座
５                  シリンダー錠
５１ａ              サムターン台座
５１ｂ              錠孔台座
【図１】
2020200677.tif 000003
【図２】
2020200677.tif 000004
【図３】
2020200677.tif 000005
【図４】
2020200677.tif 000006
【図５】
2020200677.tif 000007